(57)【要約】【課題】フリッカを防止し、キックバック現象によるコントラスト低下や視認性の悪化を抑える。【解決手段】電気泳動表示装置であって、駆動制御手段４０は、各駆動部分にデータを転送するデータ転送手段４２１と、接地電位と前記接地電位とは異なるパルス電位を共通電極に繰り返し印加し、表示の更新内容に応じて各駆動電極に前記接地電位又は前記パルス電位のいずれかを印加して画像を変化させる画像書き換え処理を行う画像書き換え手段４２２とを有し、画像書き換え手段４２２は、前記画像書き換え処理として、前記接地電位と第１のパルス電位を繰り返し前記共通電極に加える第１パルス印加処理を行う第１パルス印加部４２３と、前記画像書き換え処理として、前記接地電位と第２のパルス電位を繰り返し前記共通電極に加える第２パルス印加処理を行う第２パルス印加部４２４を備える。【選択図】図１
2010197571.tif 000002
【特許請求の範囲】
【請求項１】
電気泳動粒子を含有する分散液を共通電極と複数の駆動電極との間に介在させてなる電気泳動素子と、
前記共通電極と前記複数の駆動電極との間に電圧を印加して前記電気泳動素子を駆動する駆動制御手段を備える電気泳動表示装置であって、
前記駆動制御手段は、
各駆動部分にデータを転送するデータ転送手段と、
接地電位と前記接地電位とは異なるパルス電位を共通電極に繰り返し印加し、表示の更新内容に応じて各駆動電極に前記接地電位又は前記パルス電位のいずれかを印加して画像を変化させる画像書き換え処理を行う画像書き換え手段とを有し、
前記画像書き換え手段は、
前記画像書き換え処理として、前記接地電位と第１のパルス電位を繰り返し前記共通電極に加える第１パルス印加処理を行う第１パルス印加部と、
前記画像書き換え処理として、前記接地電位と第２のパルス電位を繰り返し前記共通電極に加える第２パルス印加処理を行う第２パルス印加部を備え、
前記第２のパルス電位と前記第１のパルス電位は、接地電位を基準として共に正または共に負の電位をとり、前記第２のパルス電位の絶対値は前記第１のパルス電位の絶対値より大きいことを特徴とする電気泳動表示装置。
【請求項２】
請求項１において、
前記画像書き換え手段は、
最初に前記第１パルス印加部が前記第１パルス印加処理を行い、
その後に前記第２パルス印加部が前記第２パルス印加処理を行うことを特徴とする電気
【請求項３】
請求項１乃至２のいずれかにおいて、
前記画像書き換え手段は、変化させた画像の反射率が、目標とする色の限界到達反射率の少なくとも８０％以上に設定された閾値に達するまで前記第１パルス印加部が前記第１パルス印加処理を行い、前記閾値に達した後は、前記第２パルス印加部が前記第２パルス印加処理を行うことを特徴とする電気泳動表示装置。
【請求項４】
請求項１乃至３のいずれかに記載の電気泳動表示装置を含む電子機器。
【請求項５】
電気泳動粒子を含有する分散液を共通電極と複数の駆動電極との間に介在させてなる電気泳動素子と、
前記共通電極と前記複数の駆動電極との間に電圧を印加して前記電気泳動素子を駆動する駆動制御手段を備える電気泳動表示装置の駆動方法であって、
前記駆動制御手段により各駆動部分にデータを転送するデータ転送工程と、
前記データ転送工程後に実施され、かつ、共通電極には接地電位と前記接地電位とは異なるパルス電位を繰り返し印加し、各駆動電極には表示の更新内容に応じて前記接地電位又は前記パルス電位のいずれかを印加して画像を変化させる画像書き換え工程とを有し、
前記画像書き換え工程は、
前記共通電極駆動パルスとして前記接地電位と第１のパルス電位を繰り返し前記共通電極に加える第１パルス印加工程と、
前記共通電極駆動パルスとして前記接地電位と第２のパルス電位を繰り返し前記共通電極に加える第２パルス印加工程を備え、
前記第２のパルス電位と前記第１のパルス電位は、接地電位を基準として共に正または共に負の電位をとり、前記第２のパルス電位の絶対値は前記第１のパルス電位の絶対値より大きいことを特徴とする電気泳動表示装置の駆動方法。
【発明の詳細な説明】
【技術分野】
【０００１】
本発明は、電気泳動表示装置、電気泳動表示装置の駆動方法および電子機器等に関する。
【背景技術】
【０００２】
近年、電子ペーパーやフレキシブルディスプレイなど、紙媒体を代表とするハードコピーの長所を取り入れることを目指した、新たな電子表示媒体の開発が進められている。現在のパソコン等の表示デバイスとして用いられているＣＲＴやＬＣＤと比較して視認性がよく目が疲れにくいことや曲げることができ携帯性に優れていることを特徴とする。
【０００３】
このような電子表示媒体の一つとして電気泳動表示装置が挙げられる。電気泳動方式は溶媒中に分散された粒子が電界によって移動する電気泳動という現象を利用したものであり、高い反射率と低い消費電力をもつ（特許文献１参照）。例えばマイクロカプセル型電気泳動方式の表示デバイスは、時計、電子ペーパー、看板広告、ＰＤＡ、電子書籍端末等に搭載されて実用化されている。また、電子新聞、POP（店内の購買時点での広告）、交通表示、電車中吊り、ポスター、案内板、ICカード、フレキシブルテレビなど多岐多様な市場で使用されるようになると予測されている。
【０００４】
マイクロカプセル型電気泳動方式は図１０に示すように、透明のマイクロカプセル６０の中に透明な分散液とプラスに帯電した白粒子６１とマイナスに帯電した黒粒子６２を封入し、２つの電極間に電界を印加するとこれらの帯電した粒子（電気泳動粒子）はそれぞれ逆の電位の方向に移動し、白・黒の表示が可能となる。ここで、白粒子６１としてチタニア（TiO2）、酸化マグネシウム（MgO）、酸化亜鉛（ZnO）、アルミナ(Al2O3などの高反射率の材料を選ぶことにより表示デバイスとしての反射率を高めることができる。また、黒粒子６２としてはカーボンブラックなどの高吸収率の材料を選ぶことができる。そして、電界Ｅにより電気泳動粒子が移動し所望の表示パターンが得られると、セグメント電極（駆動電極）および共通電極への電圧印加を停止し、各電極をハイインピーダンス（Hi−Z）に設定することで表示パターンを保持する。このとき、表示パターンの保持に電力を使用しないことは低消費電力に寄与する。なお、マイクロカプセル６０の材料としては、例えばゼラチン−アラビアゴム、または尿素−ホルムアルデヒド樹脂などが使われ、絶縁性流体には、例えば脂肪酸炭化水素やドデシルベンゼン等の非水系溶媒が使われる。
【０００５】
ここで、マイクロカプセル型以外の電気泳動方式として、水平移動型（In−Plane型）電気泳動方式と垂直型電気泳動方式とがある。
【０００６】
マイクロカプセル化は、電気泳動方式の欠点である電気泳動粒子の凝集や沈殿を解決する効果を有する。また、表示素子の薄型化を図る場合、マイクロカプセル型の中でも白と黒の２種類の着色顔料を使う二粒子系が、一粒子系で問題になるコントラストの低下を防ぐための対策として有効である。後述する発明は二粒子系のマイクロカプセル型以外の電気泳動方式に対しても応用が可能であるが、後述する実施例では二粒子系のマイクロカプセル型電気泳動方式を用いて説明する。また、二粒子系のマイクロカプセルを構成する分散液は有色透明であってもよいし、電気泳動粒子は白・黒以外に着色されていてもよいが、後述する実施例ではモノクロの表示デバイス（分散液は無色透明、電気泳動粒子は白色又は黒色）を用いて説明する。
【０００７】
また、液晶ディスプレイや他のディスプレイの代表的な駆動方法として、画素電極の電位を可変にするとともに、共通電極の電位も可変にする方法（通常、コモン振りと呼ばれる）が知られている。電気泳動表示装置においてもこのコモン振りの駆動方法が提案されている（特許文献２参照）。この駆動方法によれば、画素電極と共通電極の電位を高電位（以下、「Ｈレベル」とも表記する）と低電位（以下、「Ｌレベル」とも表記する）の２値で制御できるため、駆動電位の低電圧化が図れ、回路構成も簡単になり、安価に製造できる。さらに、駆動回路としてＴＦＴ（Thin Film Transistor）を用いた場合では、上記の駆動電位の低電圧化によってＴＦＴの信頼性も確保できる。
【先行技術文献】
【特許文献】
【０００８】
【特許文献１】特開２００６−２０９０１８号公報
【特許文献２】特開昭５２−７０７９１号公報
【特許文献３】特開２００８−２４２３８２号公報
【発明の概要】
【発明が解決しようとする課題】
【０００９】
図１０に示す電気泳動表示装置の表示パネルは、共通電極１０とセグメント電極（駆動電極）１１に与えた電位の差により電界Ｅが生じ、マイクロカプセル６０中のプラスに帯電した白粒子６１とマイナスに帯電した黒粒子６２がそれぞれマイナス側、プラス側の電極に引き寄せられる。図１０の右図（拡大図）では、プラスに帯電した白粒子６１が共通電極１０側に引き寄せられるため、ユーザーには共通電極１０及び対向基板２０越しに白の表示パターンを認識することになる。例えば、共通電極１０には光透過率が高く、電気抵抗が低いITO（Indium Tin Oxide）電極などが用いられる。また、対向基板２０は無色透明のガラス基板や樹脂などが用いられる。
【００１０】
その後、表示パネルに所望の表示パターンが形成されると、共通電極１０とセグメント電極１１に与えていた電位の印加を停止し、各電極をハイインピーダンス（Ｈｉ−Ｚ）に設定することで、前記表示パターンを保持する。
【００１１】
しかし、各電極をハイインピーダンスに設定したときに、電気泳動素子（マイクロカプセル）内では各電極側に移動した電気泳動粒子がパネルの厚さ方向（図１０では上下方向）の中心部分に引き戻される、いわゆるキックバック現象が生じる場合がある。このキックバック現象が発生すると反射率が変化し、ユーザーには表示パターンの変化と認識され得る。そして、キックバック現象による反射率の変化は、具体的には白又は黒から中間色（灰色）への変化であるから、結果としてコントラスト低下につながり、視認性を悪化させる。
【００１２】
キックバック現象による視認性の悪化を抑制する手法として、共通電極とセグメント電極（駆動電極）に印加されたそれぞれの電位の大小関係が過渡状態においても逆転しないようにセグメント電極側の容量を調整する手法が提案されている（特許文献３）。しかし、設計上の制約（例えば表示部分の再利用の要求）からセグメント電極側の容量を調整できないときには、この手法は用いることが困難である。
【００１３】
さらに、コモン振りによる駆動方法を用いた場合には、画像を書き換える際の課題がある。例えば、長いパルス幅（例えば２００ミリ秒）のパルス信号を共通電極に加えてコモン振りを行うとフリッカが発生し、ユーザーがストレスを感じる。この対策として、短いパルス（例えばパルス幅が２０ミリ秒）のパルス信号を入力してコモン振りを行うとフリッカは防止できるが、電圧の印加期間が短いため、十分に飽和するまで粒子を移動させることができず、やや低い反射率しか得られない。
【００１４】
本発明の目的は、上記課題に鑑みてなされたものである。本発明のいくつかの態様によれば、セグメント電極の容量変更を必要とせず、駆動パルスの制御によりフリッカやキックバック現象によるコントラスト低下や視認性の悪化を抑えることができる。
【課題を解決するための手段】
【００１５】
（１）本発明は、
電気泳動粒子を含有する分散液を共通電極と複数の駆動電極との間に介在させてなる電気泳動素子と、前記共通電極と前記複数の駆動電極との間に電圧を印加して前記電気泳動素子を駆動する駆動制御手段を備える電気泳動表示装置であって、前記駆動制御手段は、各駆動部分にデータを転送するデータ転送手段と、接地電位と前記接地電位とは異なるパルス電位を共通電極に繰り返し印加し、表示の更新内容に応じて各駆動電極に前記接地電位又は前記パルス電位のいずれかを印加して画像を変化させる画像書き換え処理を行う画像書き換え手段とを有し、前記画像書き換え手段は、前記画像書き換え処理として、前記接地電位と第１のパルス電位を繰り返し前記共通電極に加える第１パルス印加処理を行う第１パルス印加部と、前記画像書き換え処理として、前記接地電位と第２のパルス電位を繰り返し前記共通電極に加える第２パルス印加処理を行う第２パルス印加部を備え、前記第２のパルス電位と前記第１のパルス電位は、接地電位を基準として共に正または共に負の電位をとり、前記第２のパルス電位の絶対値は前記第１のパルス電位の絶対値より大きいことを特徴とする。
【００１６】
前記第１のパルス電位および前記第２のパルス電位は、駆動対象となる電気泳動表示装置の特性に応じて設定される。一つの具体例として、電気泳動表示装置の電源電位としてＨレベル（高電位側）が１５Ｖ、Ｌレベル（低電位側）が０Ｖであるような場合、第１のパルス電位をＨレベルとＬレベルの中間電位（以下「Ｍレベル」とも表記する）である７．５Ｖ、第２のパルス電位を１５Ｖに設定してもよい。
【００１７】
本発明によれば、画像を書き換える画像書き換え手段は第１パルス印加部および第２パルス印加部を備え、それぞれが第１パルス印加処理および第２パルス印加処理を行う。
【００１８】
ここで、キックバック現象が発生する原因の一つとして強い電界の発生により電気泳動粒子が移動することに伴い、電気泳動素子中の分散液に対流が生じ、細かい電気泳動粒子が、その対流によって電気泳動素子の中心部へ戻されていることが考えられる。
【００１９】
第１のパルス電位は第２のパルス電位に比べて電位が低いため、電気泳動粒子の移動量は少なくなるが、前記対流は緩やかであり、ユーザーが認識するようなキックバック現象（コントラスト低下や視認性の悪化）の発生を防止できる。
【００２０】
一方、第２のパルス電位は第１のパルス電位に比べて電位が高いため、ユーザーが認識するようなキックバック現象（コントラスト低下や視認性の悪化）が発生するおそれがあるが、電気泳動粒子の移動量は大きくでき、十分に飽和するまで、つまり黒表示や白表示として十分な反射率が得られるまで電気泳動粒子を移動できる。
【００２１】
ＨレベルとＬレベルを繰り返す第２パルス印加処理のみではキックバック現象による視認性の悪化が生じる状況において、本発明では、第１パルス印加処理および第２パルス印加処理を組み合わせることでこの問題を解決できる。例えば、黒表示から白表示に変化させる場合に、黒表示からの変化開始時点からある程度白表示に近づく時点までは第１パルス印加処理を行い、ある程度白表示に近づいた後に第２パルス印加処理を行うといった使い分けが可能であり、この結果、後述する理由によりキックバック現象による視認性の悪化を抑制できる。
【００２２】
さらに、第１のパルス電位は第２のパルス電位に比べて電位が低いため、電気泳動粒子の移動量は少なくなる。よって、第１パルス印加処理は、コモン振りにおいて短いパルスを印加してフリッカを防止するのと同じ効果が期待できる。したがって、第１パルス印加処理および第２パルス印加処理の使い分けとして、フリッカが目立つ区間においては第１パルス印加処理をすることで、キックバック現象による視認性の悪化と同時にフリッカの問題も解決するものである。
【００２３】
なお、電気泳動表示装置においては、セグメント方式やアクティブマトリックス方式の駆動方式が知られている。セグメント方式では同時に変化する表示セグメント毎に駆動信号が必要になる。例えば、時計のデジタル表示部などでこの方式が用いられる（図１、図７（Ａ））。一方、アクティブマトリックス方式では各画素を独立に制御する。このとき、水平方向の走査線駆動回路および垂直方向のデータ線駆動回路を用いて各画素を駆動する必要がある（図７（Ｂ））。前記第１パルス印加処理および第２パルス印加処理を組み合わせて駆動する方法はセグメント方式、アクティブマトリックス方式の両方式に適用できる。セグメント方式の場合、駆動電極をセグメント電極に、駆動部分をセグメントに対応させてよい。また、アクティブマトリックス方式では、駆動電極を画素電極に、駆動部分を画素に対応させてよい。
【００２４】
（２）この電気泳動表示装置の画像書き換え手段は、
最初に前記第１パルス印加部が前記第１パルス印加処理を行い、その後に前記第２パルス印加部が前記第２パルス印加処理を行うことを特徴とする。
【００２５】
黒表示から白表示、あるいは、白表示から黒表示に画像を変化させる場合、画像変化の開始時に反射率が大きく変化し、そのためフリッカも目立ちやすい。従って、画像書き換えの開始時に第１パルス印加部による第１パルス印加処理を実行すればフリッカを防止することができる。しかし、第１のパルス電位はＭレベル（中間電位）であるため、反射率が限界到達反射率まで達しない。そこで、第１パルス印加処理によってある程度反射率を変化させた後に第２パルス印加処理を実行すれば、十分に飽和した（限界到達反射率に達した）反射率が得られる。つまり白表示や黒表示としてターゲットとする反射率が得られる。さらに、第１パルス印加処理により、ある程度反射率を変化させているので、電気泳動粒子の移動はある程度完了しており、第２パルス印加処理での電気泳動粒子の移動量は比較的少ない。従って、電気泳動素子中の分散液の対流が抑えられるため、キックバック現象が発生しにくい。
【００２６】
本実施の形態では最初に第１パルス印加処理の後に第２パルス印加処理を行うことによって、フリッカを防止し、キックバック現象による視認性の悪化を抑制し、ターゲットとした白表示や黒表示の反射率を得ることができる。
【００２７】
（３）この電気泳動表示装置の画像書き換え手段は、
変化させた画像の反射率が、目標とする色の限界到達反射率の少なくとも８０％以上に設定された閾値に達するまで前記第１パルス印加部が前記第１パルス印加処理を行い、前記閾値に達した後は、前記第２パルス印加部が前記第２パルス印加処理を行ってもよい。
【００２８】
例えば、限界到達反射率３％である黒表示から、限界到達反射率４５％である白表示に画像を更新する場合、閾値を限界到達反射率の９０％に設定していたとすると、４０．５％の閾値に達するまでは第１パルス印加処理を行い、反射率が４０．５％に達した後は第２パルス印加処理を行う。
【００２９】
この場合、限界到達反射率の所定割合である閾値に反射率が達するまでは第１パルス印加処理を行うのでフリッカを抑制できる。また、この閾値を超えた場合は第２パルス印加処理を行うので反射率を十分に限界到達反射率まで近づけることができる。
【００３０】
なお、この閾値は通常８０〜９０％の範囲で設定すればよい。閾値が８０％未満では反射率の変化割合が大きい領域になるため、第２パルス印加処理に切り換えた際にフリッカが目立つおそれがある。一方、閾値が９０％以上であると、第２パルス印加処理での電気泳動粒子の移動量は減るのでキックバック現象の影響は減るが、第１パルス印加処理の期間が長くなり限界到達反射率に達するまでの全体のパルス駆動時間が長くなる。従って、電気泳動表示装置の特性にもよるが、通常は８０〜９０％程度の閾値を設定すればよい。
【００３１】
（４）この電気泳動表示装置は、
電子機器に含まれていてもよい。電子機器とは例えば、時計、電子ペーパー、電子看板広告、ＰＤＡ、電子書籍端末、電子新聞、ＰＯＰ（店内の購買時点での広告）、交通表示機、案内板、ＩＣカード、フレキシブルテレビ等を含む。これらの表示部においてこの電気泳動表示装置が用いられれば、コントラストが高く視認性の良い表示を可能にする。
【００３２】
（５）本発明は、
電気泳動粒子を含有する分散液を共通電極と複数の駆動電極との間に介在させてなる電気泳動素子と、前記共通電極と前記複数の駆動電極との間に電圧を印加して前記電気泳動素子を駆動する駆動制御手段を備える電気泳動表示装置の駆動方法であって、前記駆動制御手段により各駆動部分にデータを転送するデータ転送工程と、前記データ転送工程後に実施され、かつ、共通電極には接地電位と前記接地電位とは異なるパルス電位を繰り返し印加し、各駆動電極には表示の更新内容に応じて前記接地電位又は前記パルス電位のいずれかを印加して画像を変化させる画像書き換え工程とを有し、前記画像書き換え工程は、前記共通電極駆動パルスとして前記接地電位と第１のパルス電位を繰り返し前記共通電極に加える第１パルス印加工程と、前記共通電極駆動パルスとして前記接地電位と第２のパルス電位を繰り返し前記共通電極に加える第２パルス印加工程を備え、前記第２のパルス電位と前記第１のパルス電位は、接地電位を基準として共に正または共に負の電位をとり、前記第２のパルス電位の絶対値は前記第１のパルス電位の絶対値より大きいことを特徴とする。
【００３３】
本発明によれば、第１パルス印加工程と第２パルス印加工程という異なった印加工程を組み合わせて行うことができる。このため、前述の通り、キックバック現象による視認性の悪化を抑制でき、かつ、一度の書き込みで十分な反射率（コントラスト）を得ることができる。
【図面の簡単な説明】
【００３４】
【図１】本発明にかかる電気泳動表示装置の一の実施形態を示す概略図である。
【図２】電気泳動表示装置の表示パネルの概略図である。
【図３】電気泳動表示装置の表示パネルの概略図である。
【図４】（Ａ）電気泳動表示装置におけるキックバック現象とフリッカについての概略図である。（Ｂ）本発明にかかる一の実施形態の表示パネルにおける反射率の変化の例を示す図である。
【図５】本発明にかかる一の実施形態の表示パネルにおける反射率の一例を示す図である。
【図６】本発明にかかる一の実施形態の表示パネルにおける反射率の一例を示す図である。
【図７】本発明にかかる一の実施形態の駆動方法のフローチャートである。
【図８】（Ａ）セグメント表示の一例を示す図である。（Ｂ）アクティブマトリックス方式の回路構成の一例を示す図である。
【図９】本発明にかかる電子機器を示す図である。（Ａ）携帯電話、（Ｂ）時計、（Ｃ）ノートパソコン
【図１０】マイクロカプセル型電気泳動方式の表示パネルの例である。
【発明を実施するための形態】
【００３５】
（１．第１の実施形態）
図１は、本発明にかかる電気泳動表示装置の概略図である。電気泳動表示装置１は表示パネル３０と表示パネル３０を駆動する駆動制御手段４０とを含む。駆動制御手段４０は、データ転送手段４２１と画像書き換え手段４２２を含む。さらに、画像書き換え手段４２２は第１パルス印加部４２３と第２パルス印加部４２４を含んでいる。データ転送手段４２１は画像信号処理回路やタイミングジェネレーターを備えており、表示パネル３０に表示させる画像や文字を示す表示データや表示を維持するためのリフレッシュデータなどを生成する。
【００３６】
また、画像書き換え手段４２２は、データ転送手段４２１からの表示データやリフレッシュデータの出力に連動して、第１パルス印加部４２３や第２パルス印加部４２４によって表示パネル３０内の共通電極にそれぞれ第１パルス印加処理および第２パルス印加処理を行う。また、図１の例のように時計表示部を有する表示パネル３０を含む電気泳動表示装置１では、駆動制御手段４０はさらに、時刻表示に必要な情報を与える時計部４５やユーザーからの入力を処理するユーザーインターフェース４４を含んでいてもよい。
【００３７】
図２は、電気泳動表示装置の表示パネルの断面の概略図である。図２に示すように、表示パネル３０は基板２１上にガラスや樹脂等の透明性材料からなる対向基板２０が対向配置されている。基板２１側には複数の分割電極を構成するセグメント電極（駆動電極）１１Ａ〜Ｄが置かれ、対向基盤側には光透過率が高く電気抵抗が低いITO（Indium Tin Oxide）等の透明伝導材料からなる共通電極１０が配置されている。セグメント電極１１Ａ〜Ｄと共通電極１０の間には帯電した泳動粒子を含有する電気泳動素子（マイクロカプセル）６０が挟まれて配置されている。電気泳動素子６０の構成は図１０の拡大図（右図）と同じであり、前記帯電した泳動粒子としてプラスに帯電した白粒子６１とマイナスに帯電した黒粒子６２が封入されている。ここで、白粒子６１がマイナスに、黒粒子６２がプラスに帯電していてもよいが、その場合には後述する電気泳動粒子の電気的な動作は逆になる。また、図２では対向基板側からユーザーが表示パターンを認識できるものとして説明するが、本発明の実施形態としては基板２１や基板側のセグメント電極１１に透明性材料を用いて基板側から表示パターンを認識できてもよい。
【００３８】
図３は実際に共通電極に電位が印加された場合の電気泳動素子６０の電気的な動作を例示した図である。第１パルス印加部（図１の４２３）又は第２パルス印加部（図１の４２４）が第１パルス印加処理又は第２パルス印加処理で共通電極１０に印加する一方で、駆動制御手段内の画像書き換え手段はセグメント電極１１に電位を印加する。図３の例では、共通電極１０より低い電位がセグメント電極１１Ａおよび１１Ｃに印加され、共通電極１０より高い電位がセグメント電極１１Ｂおよび１１Ｄに印加されている。このとき電界Ｅはそれぞれ図中の矢印で示され、セグメント電極１１Ａ〜Ｄによって電気泳動素子６０は黒又は白の表示パターンをユーザーに対し表示している。
【００３９】
次に表示パネルの駆動特性について説明する。図４（Ａ）の反射率の変化は黒の表示パターンを白へ変更した場合のキックバック現象およびフリッカの例である。Ｒ３の反射率（黒のターゲット反射率は例えば３％である）の状態から第２パルス印加処理を行うことで電気泳動素子が駆動されてＲ０（白のターゲット反射率は例えば４５％である）へと変化する。その後、駆動制御手段が第２パルス印加処理を停止すると理想的には反射率Ｒ０のまま白の表示パターンを保つはずである。しかし、実際には第２パルス印加処理の停止後、徐々に数％又はそれ以上の反射率の低下が見られることがある（図４のＲ１）。これがキックバック現象であり、ユーザーは白表示が暗くなり、表示パターンのコントラスト・視認性が悪化したと感じる。また、ＨレベルとＬレベルを繰り返す長いパルス幅（例えば２００ミリ秒）のパルス信号を共通電極に加えてコモン振りを行うと、ユーザーはフリッカを感じることがある。特に画像変化（パルス印加）の開始時に反射率が大きく変化しそのためフリッカも目立ちやすい（Ｒ３−Ｒ２区間）。
ここで、図４（Ａ）では黒から白への変化でのキックバック現象のみを示しているが、実際には白から黒への変化においても同様に黒レベルが反射率Ｒ３を保たず中間色側へと変化するキックバック現象が観察されている。したがって、前記の通り、キックバック現象が発生する原因の一つとして強い電界の発生により電気泳動粒子が移動することに伴い、電気泳動素子（図２の６０）中の分散液に対流が生じ、細かい電気泳動粒子がその流れによって電気泳動素子の中心部へ戻されていることが考えられる。
【００４０】
したがって、キックバック現象の発生を抑制するためには、強い電界の発生を抑え分散液に対流が生じないようにすることが必要である。このとき、表示素子の薄型化や高精細さが求められている現状からすると電気泳動素子の直径を増やし、共通電極（図２の１０）とセグメント電極（図２の１１Ａ〜Ｄ）の間隔を広げることは現実的ではない。よって、本願にかかる発明においては共通電極とセグメント電極の電位差を制御することでキックバック現象によるコントラスト低下や視認性の悪化を抑制する。
【００４１】
図４（Ｂ）は、本発明にかかる一の実施形態の表示パネルにおける反射率の変化を表す。最初に共通電極１０とセグメント電極１１の電位差が通常より小さくなるような振幅のパルスを与えて反射率をＲ０とＲ３の中間のＲ２まで高め、さらに通常の振幅のパルスを与えたときの反射率の変化を示している。ここで通常の振幅とはＨレベルとＬレベルの差をいう。通常より小さな振幅のパルスを与えることで電気泳動粒子の移動量を抑え、短いパルスを与えたのと同様の状態にしフリッカを防止することができる。しかし、反射率はＲ２に留まり、このままでは白表示のターゲットＲ０には到達しない。そこで、続けて通常の振幅のパルスを与えて、最終的な反射率をＲ０まで高める。このとき、すでに反射率はＲ２まで達しており、これをターゲットであるＲ１まで変化させても電気泳動粒子の移動量は少なく電気泳動素子中の分散液に対流は抑えられる。よって細かい電気泳動粒子の対流による中心部への移動がなくなり、キックバック現象によるコントラスト低下や視認性の悪化を抑制することができる。
【００４２】
図５は、図４（Ｂ）の反射率の変化（図５上図）と共通電極印加電位との対応（図５下図）を示す。図５下図の共通電極印加電位は第１パルス印加部（図１の４２３）又は第２パルス印加部（図１の４２４）による第１パルス印加処理又は第２パルス印加処理における、表示パネル（図１の３０）内の共通電極（図２の１０）への印加電位を表す。Ｌレベル（低電位、接地電位）とＨレベル（高電位）の中間電位をＭレベルとして、図５下図ではＭと略記している。第１のパルス電位はＭレベルであり、第１パルス印加部はＬレベルとＭレベルを繰り返し共通電極に印加する「第１パルス印加処理」を行う。第２のパルス電位はＨレベルであり、第２パルス印加部はＬレベルとＨレベルを繰り返し共通電極に印加する「第２パルス印加処理」を行う。第１パルス印加処理と第２パルス印加処理は排他的に行われる。図５下図の例では、最初に第１パルス印加処理が行われ、その後に第２パルス印加処理が行われている。
【００４３】
図５では、黒（図５上図Ｒ３）である表示セグメント（同時に表示が変化する一又は複数の画素）を白（図５上図Ｒ０）に変化させる例である。以下順に説明する。まず、電気泳動素子に電位を生じさせるため、駆動制御手段（図１の４０）内の画像書き換え手段（図１の４２２）はセグメント電極に対しＭレベルの電位を印加しているものとする。そして、第１パルス印加部は第１パルス印加処理を行う。第１パルス印加処理によって、共通電極にＬレベルが印加されるときに、このセグメントの電気泳動素子に電界が発生し、反射率はＲ３からＲ２へと変化していく。この第１パルスの印加は、所定時間続けてもよいし、ターゲットの反射率（Ｒ０）の例えば８０％に達するまで続けられてもよい。このとき、Ｌレベル（接地電位）とＭレベル（中間電位）を繰り返し共通電極に印加する第１パルス印加処理は、ＬレベルとＨレベルを繰り返し共通電極に印加する第２パルス印加処理とは異なり、電気泳動素子に緩やかな電界を生じさせるため電気泳動粒子の移動量は少なく、フリッカの発生を抑制する。そのため、フリッカの目立つ反射率がＲ３からＲ２の区間では第１パルス印加処理が適している。しかし、反射率は白表示のターゲットであるＲ０には達しない。
【００４４】
その後、駆動制御手段内の画像書き換え手段はセグメント電極に対しＨレベルの電位を印加する。そして、第２パルス印加部は第２パルス印加処理を行う。第２パルス印加処理によって、共通電極にＬレベルが印加されるときに、このセグメントの電気泳動素子に電界が発生し、反射率はＲ２からＲ０へと変化していく。この第２パルスの印加は、所定時間続けてもよいし、ターゲットの反射率（Ｒ０）に達するまで続けられてもよい。このとき、すでに反射率はＲ２まで達しており、これをターゲットであるＲ１まで変化させても電気泳動粒子の移動量は少なく電気泳動素子中の分散液の対流は抑えられる。よって、ＬレベルとＨレベルを繰り返し共通電極に印加する第２パルス印加処理を行っても、細かい電気泳動粒子の対流による移動は生じず、キックバック現象によるコントラスト低下や視認性の悪化は抑制される。また、第２パルス印加処理によって電気泳動素子には強い電界が生じるので白のターゲットの反射率Ｒ０に到達することができる。
【００４５】
その後、セグメント電極へのＨレベルの電位の印加および共通電極への第２パルスの印加は停止され、共通電極およびセグメント電極はハイインピーダンス状態になり表示セグメントの白を保持する。このように、少なくとも２段階に分けて駆動制御手段がパルスを与えることにより、キックバックの発生を抑制し、最終的に所望の反射率を得られる。当該実施の形態では、キックバック現象が発生しないような中間レベルの電位Ｍレベルの選択に自由度がある。したがって、使用状況（アプリケーション）に応じて最適化を図ることが可能である。ここで、Ｍレベルの電位は、電気泳動表示装置内部でレギュレーター等により作成されてもよいし、外部から供給されてもよい。
【００４６】
図６はセグメント電極への印加電位を説明するための図である。共通電極印加電位については図５と同様であり、都合上時間軸方向を縮めている。また図５と共通する要素には同じ名称を付しており説明を省略する。
【００４７】
図６の表示セグメントＡは当初、黒表示（図６のＲ３）である。表示セグメントＡを白表示と変える場合、第１パルス印加部が第１パルス印加処理を行う期間に合わせて、駆動制御手段（図１の４０）内の画像書き換え手段（図１の４２２）はセグメント電極Ａに対しＭレベルの電位を印加する。また、第２パルス印加部が第２パルス印加処理を行う期間に合わせて、Ｈレベルの電位を印加する。コモン振りにおいては共通電極に印加される電位、すなわち、第１のパルス電位および第２のパルス電位にレベルを合わせる必要があるからである。なお、ハイインピーダンス状態も共通電極の状態に合わせる（図６表示セグメントＡ電極印加電位）。
【００４８】
一方、図６の表示セグメントＢは当初、白表示（図６のＲ０）である。表示セグメントＢを黒表示と変える場合には、駆動制御手段内の画像書き換え手段はセグメント電極Ｂに対してＬレベルの電位を印加すればよい。なお、ハイインピーダンス状態は共通電極の状態に合わせる必要がある（図６表示セグメントＢ電極印加電位）。
【００４９】
なお、このときの電気泳動表示装置の制御フローは、図７の通りである。データ転送工程Ｓ１は画像書き換え工程Ｓ２に先んじて行われる（図７（Ａ））。また、画像書き換え工程Ｓ２において、最初に第１パルス印加工程Ｓ２１が行われ、次に第２パルス印加工程Ｓ２２が行われる。なお、第２パルス印加工程Ｓ２２後のハイインピーダンス状態Ｓ２３は表示パターンを保持するために必要である（図７（Ｂ））。
【００５０】
（２．アクティブマトリックス方式）
第１の実施形態では共通電極と対向する電極がセグメント電極であった。しかし、個々の画素が駆動される場合であっても、キックバック現象による視認性の悪化についてはセグメント方式もアクティブマトリックス方式も違いはない。
【００５１】
図８は、表示パネル３０と駆動制御手段４０を、セグメント方式の場合（図８（Ａ））とアクティブマトリックス方式の場合（図８（Ｂ））とで対比したものである。この図からも明らかなように、本発明の電気泳動表示装置は表示セグメントが画素に変わったとしても対応が可能である。このとき、アクティブマトリックス方式では、駆動制御手段４０が水平方向の走査線駆動回路４３１および垂直方向のデータ線駆動回路４３２を含み、これらにより各画素を駆動してもよい。
【００５２】
（３．その他の変形例）
中間電位としてＭ１レベルとＭ２レベルを用意しておき、動作条件等により第１のパルス電位としてはＭ１レベル又はＭ２レベルを選択してもよい。これは、使用条件等が異なる場合（例えば、寒冷時と温暖時）にも共通の電気泳動表示装置を使用可能とする。このとき、中間電位のレベルは２つに限られず、更に拡張してもよい。
【００５３】
更に、第１パルス又は第２パルスにおいて、同電位のパルスが連続しなくてもよい。例えば中間電位としてＭ１、Ｍ２、Ｍ３（Ｍ１＜Ｍ２＜Ｍ３）が用意された場合に、第１のパルス電位として、最初にＭ１レベルを複数回のパルスで用いた後にＭ２レベルに切り換えてパルスを発生させ、その後さらにＭ３レベルに切り換えてパルスを発生させてもよい。これは、反射率の区間によってユーザーがキックバック現象による視認性の悪化を認識する度合いが異なるため、現時点での反射率に応じて中間電位を適宜選択し、もっとも視認性の悪化を感じさせないようにするためである。
【００５４】
また、本実施のＭレベルの選択には自由度があるが、ＭレベルはＨレベルとＬレベルのちょうど中間となる（Ｈレベル−Ｌレベル）／２で与えられる電位としてもよい。
【００５５】
（４．電子機器）
以下、本発明を適用した電子機器について説明する。
【００５６】
図９は、本実施の形態の電子機器の構成図である。前記第１〜第３の実施形態の電気泳動表示装置は例えば、図９（Ａ）〜（Ｃ）のような電子機器の一部であってもよい。当該電気泳動表示装置は、例えば、携帯電話１０００（Ａ）、時計１０１０（Ｂ）、ノートパソコン１０２０（Ｃ）の表示パネル１０３０として使用され、キックバック現象によるコントラスト低下のない、良好な視認性を備えた画面表示を可能にする。
【００５７】
なお、本発明は本実施の形態に限定されず、本発明の要旨の範囲内で種々の変形実施が可能である。
【００５８】
本発明は、実施の形態で説明した構成と実質的に同一の構成（例えば、機能、方法および結果が同一の構成、あるいは目的及び効果が同一の構成）を含む。また、本発明は、実施の形態で説明した構成の本質的でない部分を置き換えた構成を含む。また、本発明は、実施の形態で説明した構成と同一の作用効果を奏する構成又は同一の目的を達成することができる構成を含む。また、本発明は、実施の形態で説明した構成に公知技術を付加した構成を含む。
【符号の説明】
【００５９】
１…電気泳動表示装置、１０…共通電極、１１、１１Ａ〜Ｄ…セグメント電極（駆動電極）、２０…対向基板、２１…基板、６０…電気泳動素子（マイクロカプセル）、６１…白粒子、６２…黒粒子、３０…表示パネル、４０…駆動制御手段、４４…ユーザーインターフェース、４５…時計部、４２１…データ転送手段、４２２…画像書き換え手段、４２３…第１パルス印加部、４２４…第２パルス印加部、４３１…走査線駆動回路、４３２…データ線駆動回路、１０００…携帯電話、１０１０…時計、１０２０…ノートパソコン、１０３０…電子機器の表示パネル、１０４０…キーボード
【図１】
2010197571.tif 000003
【図２】
2010197571.tif 000004
【図３】
2010197571.tif 000005
【図４】
2010197571.tif 000006
【図５】
2010197571.tif 000007
【図６】
2010197571.tif 000008
【図７】
2010197571.tif 000009
【図８】
2010197571.tif 000010
【図９】
2010197571.tif 000011
【図１０】
2010197571.tif 000012